(57)【要約】【課題】表示品位の良好な液晶表示装置を提供することを目的とする。【解決手段】アレイ基板２００と、第１透過領域ＴＲと第２透過領域ＴＧとの間および第２透過領域ＴＧと第３透過領域ＴＢとの間にそれぞれ配置された遮光層３４０と、第１透過領域ＴＲに配置された赤色カラーフィルタ層３２０Ｒと、第２透過領域ＴＧに配置されるとともに遮光層３４０の上に積層された緑色カラーフィルタ層３２０Ｇと、第３透過領域ＴＢに配置された青色カラーフィルタ層３２０Ｂと、を有するとともにアレイ基板２００と対向するように配置された対向基板３００と、アレイ基板２００上に形成され、遮光層３４０に積層された緑色カラーフィルタ層３２０Ｇに対向するとともにアレイ基板２００と対向基板３００との間にセルギャップを形成するスペーサＳＰと、スペーサにＳＰよって形成されたセルギャップに保持された液晶層４００と、を備えている。【選択図】      図４
2011095475.tif 000002
【特許請求の範囲】
【請求項１】
アレイ基板と、
第１透過領域と第２透過領域との間および第２透過領域と第３透過領域との間にそれぞれ配置された遮光層と、第１透過領域に配置された赤色カラーフィルタ層と、第２透過領域に配置されるとともに前記遮光層の上に積層された緑色カラーフィルタ層と、第３透過領域に配置された青色カラーフィルタ層と、を有するとともに前記アレイ基板と対向するように配置された対向基板と、
前記アレイ基板上に形成され、前記遮光層に積層された前記緑色カラーフィルタ層に対向するとともに前記アレイ基板と前記対向基板との間にセルギャップを形成するスペーサと、
前記スペーサによって形成されたセルギャップに保持された液晶層と、
を備えたことを特徴とする液晶表示装置。
【請求項２】
アレイ基板と、
第１透過領域と第２透過領域との間および第２透過領域と第３透過領域との間にそれぞれ配置されるとともに第１幅に形成された第１遮光部および前記第１遮光部に繋がり第１幅より広い第２幅に形成された第２遮光部を有する遮光層と、第１透過領域に配置された赤色カラーフィルタ層と、第２透過領域に配置されるとともに前記第２遮光部に積層された緑色カラーフィルタ層と、第３透過領域に配置された青色カラーフィルタ層と、を有するとともに前記アレイ基板と対向するように配置された対向基板と、
前記アレイ基板上に形成され、前記第２遮光部に積層された前記緑色カラーフィルタ層に対向するとともに前記アレイ基板と前記対向基板との間にセルギャップを形成するスペーサと、
前記スペーサによって形成されたセルギャップに保持された液晶層と、
を備えたことを特徴とする液晶表示装置。
【請求項３】
第１透過領域、第２透過領域および第３透過領域は、それぞれ同じ面積であることを特徴とする請求項１または２に記載の液晶表示装置。
【請求項４】
前記緑色カラーフィルタ層の膜厚は、前記赤色カラーフィルタ層の膜厚および前記青色カラーフィルタ層の膜厚より厚いことを特徴とする請求項１または２のいずれかに記載の液晶表示装置。
【請求項５】
さらに、前記アレイ基板と前記対向基板とを貼り合わせるループ状のシール部材を備えたことを特徴とする請求項１または２のいずれかに記載の液晶表示装置。
【発明の詳細な説明】
【技術分野】
【０００１】
この発明は、液晶表示装置に関する。
【背景技術】
【０００２】
液晶表示装置は、アレイ基板と対向基板との間に液晶層を保持した構成である。アレイ基板と対向基板とは、セルギャップを維持した状態で配置されている。このセルギャップに液晶材料が封入される。セルギャップは、アレイ基板と対向基板との間に配置されたスペーサによって保持されている。
【０００３】
例えば、特許文献１によれば、液晶表示装置として、液晶層および液晶層中に配置される複数のスペーサを挟んで相互に対向する駆動基板および対向基板を備えた構成が開示されている。対向基板のガラス基板の上にブラックマトリクス層が格子状に形成され、ブラックマトリクス層を覆ってガラス基板上に色層が形成されている。色層の上にはオーバーコート層が形成され、オーバーコート層の上には一定の間隔で柱状のスペーサが形成されている。スペーサとしては、対向基板の表面が平坦な部分に形成され頂部が駆動基板に当接するスペーサと、対向基板の凹部が形成された表面部分に形成され頂部と駆動基板との間に隙間が形成されるスペーサとが含まれる。
【先行技術文献】
【特許文献】
【０００４】
【特許文献１】特開２００８−２８１５９４号公報
【発明の開示】
【発明が解決しようとする課題】
【０００５】
この発明の目的は、表示品位の良好な液晶表示装置を提供することにある。
【課題を解決するための手段】
【０００６】
この発明の一態様によれば、アレイ基板と、第１透過領域と第２透過領域との間および第２透過領域と第３透過領域との間にそれぞれ配置された遮光層と、第１透過領域に配置された赤色カラーフィルタ層と、第２透過領域に配置されるとともに前記遮光層の上に積層された緑色カラーフィルタ層と、第３透過領域に配置された青色カラーフィルタ層と、を有するとともに前記アレイ基板と対向するように配置された対向基板と、前記アレイ基板上に形成され、前記遮光層に積層された前記緑色カラーフィルタ層に対向するとともに前記アレイ基板と前記対向基板との間にセルギャップを形成するスペーサと、前記スペーサによって形成されたセルギャップに保持された液晶層と、を備えたことを特徴とする。
【０００７】
この発明の他の態様によれば、アレイ基板と、第１透過領域と第２透過領域との間および第２透過領域と第３透過領域との間にそれぞれ配置されるとともに第１幅に形成された第１遮光部および前記第１遮光部に繋がり第１幅より広い第２幅に形成された第２遮光部を有する遮光層と、第１透過領域に配置された赤色カラーフィルタ層と、第２透過領域に配置されるとともに前記第２遮光部に積層された緑色カラーフィルタ層と、第３透過領域に配置された青色カラーフィルタ層と、を有するとともに前記アレイ基板と対向するように配置された対向基板と、前記アレイ基板上に形成され、前記第２遮光部に積層された前記緑色カラーフィルタ層に対向するとともに前記アレイ基板と前記対向基板との間にセルギャップを形成するスペーサと、前記スペーサによって形成されたセルギャップに保持された液晶層と、を備えたことを特徴とする。
【発明の効果】
【０００８】
この発明によれば、表示品位の良好な液晶表示装置を提供することができる。
【図面の簡単な説明】
【０００９】
【図１】図１は、この発明の一実施の形態に係る液晶表示パネルの一構成を概略的に示す図である。
【図２】図２は、図１に示した液晶表示パネルの一構成を概略的に示す断面図である。
【図３】図３は、第１実施形態に係る液晶表示パネルの遮光層およびカラーフィルタ層の構成を概略的に示す平面図である。
【図４】図４は、第１実施形態に係る液晶表示パネルの遮光層およびカラーフィルタ層の構成を概略的に示す断面図である。
【図５】図５は、第２実施形態に係る液晶表示パネルの遮光層の第１遮光部および第２遮光部の構成を概略的に示す平面図である。
【図６】図６は、第２実施形態に係る液晶表示パネルの遮光層およびカラーフィルタ層の構成を概略的に示す平面図である。
【図７】図７は、第２実施形態に係る液晶表示パネルの遮光層およびカラーフィルタ層の構成を概略的に示す断面図である。
【図８】図８は、第２実施形態に係る液晶表示パネルの遮光層およびカラーフィルタ層の他の構成を概略的に示す平面図である。
【図９】図９は、変形例に係る液晶表示パネルの遮光層およびカラーフィルタ層の構成を概略的に示す平面図である。
【発明を実施するための形態】
【００１０】
以下、この発明の一実施の形態に係る液晶表示装置について図面を参照して説明する。
【００１１】
図１に示すように、液晶表示装置は、略矩形平板状の液晶表示パネル１００を備えている。液晶表示パネル１００は、一対の基板すなわちアレイ基板２００および対向基板３００と、アレイ基板２００と対向基板３００との間に保持された液晶層４００と、によって構成されている。これらのアレイ基板２００と対向基板３００とは、シール部材１１０によって貼り合わせられている。
【００１２】
液晶表示パネル１００は、マトリクス状に配置された複数の画素ＰＸによって構成された表示領域１２０を備えている。シール部材１１０は、表示領域１２０を囲むように一連のループ状に配置されている。さらに、液晶表示パネル１００は、表示領域１２０とシール部材１１０との間に配置された遮光部材１１２を備えている。
【００１３】
アレイ基板２００は、表示領域１２０において、画素ＰＸの第１方向Ｈに沿って延在する複数の走査線Ｙ（１、２、３、…、ｍ）と、画素ＰＸの第２方向Ｖに沿って延在する複数の信号線Ｘ（１、２、３、…、ｎ）と、各画素ＰＸにおける信号線Ｘと走査線Ｙとの交差部に配置されたスイッチング素子２２０と、画素ＰＸのそれぞれに配置されスイッチング素子２２０に接続された画素電極２３０と、を備えている。走査線Ｙと信号線Ｘとは、絶縁層（図示しない）を介して互いに交差するように配置されている。
【００１４】
対向基板３００は、表示領域１２０において、複数の画素電極２３０のそれぞれに対向した対向電極３３０を備えている。
【００１５】
また、液晶表示パネル１００は、表示領域１２０の外側に位置する非表示領域１３０に配置された接続部１３１を備えている。この接続部１３１は、液晶表示パネル１００を駆動するのに必要な各種信号を供給する信号供給源として機能する駆動ＩＣチップやフレキシブル配線基板と接続可能である。図１に示した例では、接続部１３１は、対向基板３００の端部３００Ａより外方に延在したアレイ基板２００の延在部２００Ａ上に形成されている。
【００１６】
表示領域１２０に配置された走査線Ｙ（１、２、３、…、ｍ）のそれぞれは、非表示領域１３０に引き出されて接続部１３１に接続されている。また、信号線Ｘ（１、２、３、…、ｎ）のそれぞれも同様に、非表示領域１３０に引き出されて接続部１３１に接続されている。
【００１７】
図２に示すように、アレイ基板２００は、ガラスなどの光透過性を有する絶縁基板２１０を用いて形成される。
【００１８】
スイッチング素子２２０は、例えばポリシリコンなどによって形成された半導体層２２０ＳＣを備えた薄膜トランジスタによって構成される。半導体層２２０ＳＣは、絶縁基板２１０の上に配置されている。この半導体層２２０ＳＣは、ゲート絶縁膜２４２によって覆われている。
【００１９】
スイッチング素子２２０のゲート電極２２０Ｇは、ゲート絶縁膜２４２の上に配置され、半導体層２２０ＳＣのチャネル領域と対向している。ゲート電極２２０Ｇは、図示しない走査線Ｙに接続されている（あるいは、ゲート電極２２０Ｇは、走査線Ｙと一体的に形成されている）。ゲート電極２２０Ｇは、第１層間絶縁膜２４４によって覆われている。
【００２０】
スイッチング素子２２０のソース電極２２０Ｓおよびドレイン電極２２０Ｄは、第１層間絶縁膜２４４の上に配置されている。ソース電極２２０Ｓは、図示しない信号線Ｘに接続されている（あるいは、ソース電極２２０Ｓは、信号線Ｘと一体的に形成されている）。ソース電極２２０Ｓは、第１層間絶縁膜２４４およびゲート絶縁膜２４２に形成されたコンタクトホールを介して半導体層２２０ＳＣのソース領域にコンタクトしている。ドレイン電極２２０Ｄは、第１層間絶縁膜２４４およびゲート絶縁膜２４２に形成されたコンタクトホールを介して半導体層２２０ＳＣのドレイン領域にコンタクトしている。ソース電極２２０Ｓおよびドレイン電極２２０Ｄは、第２層間絶縁膜２４６によって覆われている。
【００２１】
画素電極２３０は、第２層間絶縁膜２４６の上において、各画素ＰＸに対応して配置されている。この画素電極２３０は、第２層間絶縁膜２４６に形成されたコンタクトホールを介してドレイン電極２２７と電気的に接続されている。透過型の液晶表示パネル１００において、画素電極２３０は、インジウム・ティン・オキサイド（ＩＴＯ）やインジウム・ジンク・オキサイド（ＩＺＯ）などの光透過性を有する導電性酸化物材料によって形成されている。また、反射型の液晶表示パネル１００において、画素電極２３０は、例えば、アルミニウム（Ａｌ）、銀（Ａｇ）やモリブデン（Ｍｏ）などの光反射性を有する導電部材料によって形成されている。
【００２２】
対向基板３００は、ガラスなどの光透過性を有する絶縁基板３１０を用いて形成される。対向基板３００は、絶縁基板３１０の上に配置された遮光層３４０、赤色カラーフィルタ層３２０Ｒと、緑色カラーフィルタ層３２０Ｇと、青色カラーフィルタ層３２０Ｂと、を有するカラーフィルタ層３２０などを備えている。
【００２３】
遮光層３４０は、各画素ＰＸの第１透過領域ＴＲと第２透過領域ＴＧとの間、第２透過領域ＴＧと第３透過領域ＴＢとの間、第１透過領域ＴＲと第３透過領域ＴＢとの間にそれぞれ配置されている。ここで、画素ＰＸは、赤色カラーフィルタ層３２０Ｒ、緑色カラーフィルタ層３２０Ｇ、青色カラーフィルタ層３２０Ｂが各々配置された領域に相当する。第１透過領域ＴＲ、第２透過領域ＴＧおよび第３透過領域ＴＢは、遮光層３４０によって遮光されていない領域、あるいは、遮光層３４０から絶縁基板３１０が露出した領域、あるいは、詳述しないが遮光層３４０が格子状に形成されている場合には遮光層３４０によって囲まれた内側の領域に相当する。
【００２４】
赤色カラーフィルタ層３２０Ｒ、緑色カラーフィルタ層３２０Ｇおよび青色カラーフィルタ層３２０Ｂは、それぞれ絶縁基板３１０の上に配置されるとともに、それぞれの一部が遮光層３４０に積層されている。
【００２５】
より具体的には、赤色カラーフィルタ層３２０Ｒは、第１透過領域ＴＲに配置されている。緑色カラーフィルタ層３２０Ｇは、第２透過領域ＴＧに配置されている。青色カラーフィルタ層３２０Ｂは、第３透過領域ＴＢに配置されている。
【００２６】
赤色カラーフィルタ層３２０Ｒは、赤色の主波長（６２０ｎｍ）の光を透過するように着色された樹脂によって形成されている。緑色カラーフィルタ層３２０Ｇは、緑色の主波長（５５０ｎｍ）の光を透過するように着色された樹脂によって形成されている。青色カラーフィルタ層３２０Ｂは、青色の主波長（４６０ｎｍ）の光を透過するように着色された樹脂によって形成されている。
【００２７】
対向電極３３０は、画素電極２３０に対向するように配置されている。対向電極３３０は、カラーフィルタ層３２０の上に配置されている。対向電極３３０は、ＩＴＯやＩＺＯなどの光透過性を有する導電性材料によって形成されている。
【００２８】
また、対向基板３００は、対向電極３３０とカラーフィルタ層３２０との間に配置されるオーバーコート層を備えて構成してもよい。オーバーコート層は、透明の樹脂材料などによって形成されている。
【００２９】
これらのアレイ基板２００と対向基板３００とは、アレイ基板２００に形成された複数のスペーサＳＰによって所定のセルギャップをおいて配置されている。スペーサＳＰは、アレイ基板２００の第２層間絶縁膜２４６の上に形成され、対向基板３００に向かって延出している。スペーサＳＰは、柱状であり、アレイ基板２００から対向基板３００に向かって次第に細くなるテーパ状に形成されている。本実施形態においては、スペーサＳＰの直上には、遮光層３４０に重なった緑色カラーフィルタ層３２０Ｇが位置している。つまり、赤色カラーフィルタ層３２０Ｒおよび青色カラーフィルタ層３２０Ｂと対向する位置には、スペーサＳＰは形成されていない。緑色カラーフィルタ層３２０Ｇに対向するそれぞれのスペーサＳＰの高さは、一定である。液晶層４００は、スペーサＳＰによって形成されたセルギャップに保持され、セルギャップに封入された液晶分子を含む液晶材料で構成されている。
【００３０】
これらのアレイ基板２００および対向基板３００の表面は、液晶層４００に含まれる液晶分子の配向を制御するための配向膜２５０および３５０によってそれぞれ覆われている。また、アレイ基板２００および対向基板３００の外面には、それぞれ光学素子２６０および３６０が設けられている。これらの光学素子２６０および３６０は、液晶層４００の特性に合わせて偏光方向を設定した偏光板などを含んでいる。
【００３１】
なお、アレイ基板２００の配向膜２５０は、スペーサＳＰを覆っている。図２に示した例では、スペーサＳＰと緑色カラーフィルタ層３２０Ｇとの間には、アレイ基板２００の配向膜２５０、対向基板３００の配向膜３５０および対向電極３３０が介在している。
【００３２】
シール部材１１０は、非表示領域１３０に配置されている。遮光部材１１２は、非表示領域１３０に配置され、表示領域１２０とシール部材１１０との間に配置されている。遮光部材１１２は、対向基板３００側に配置されている。遮光部材１１２の一部は、シール部材１１０によって覆われている。
【００３３】
第１実施形態において、図３に示すように、緑色カラーフィルタ層３２０Ｇは、第２透過領域ＴＧに配置されるとともに遮光層３４０の上に積層されている。ここでは、緑色カラーフィルタ層３２０Ｇは、第１透過領域ＴＲと第２透過領域ＴＧとの間に配置された遮光層３４０の上に配置されている。第１透過領域ＴＲに配置された赤色カラーフィルタ層３２０Ｒの一部も遮光層３４０の上に配置されている。このため、赤色カラーフィルタ層３２０Ｒと緑色カラーフィルタ層３２０Ｇとの境界は、遮光層３４０の上に位置している。緑色カラーフィルタ層３２０Ｇと遮光層３４０とが重なる面積は、赤色カラーフィルタ層３２０Ｒと遮光層３４０とが重なる面積より大きい。つまり、赤色カラーフィルタ層３２０Ｒと緑色カラーフィルタ層３２０Ｇとの境界は、第２透過領域ＴＧ側よりも第１透過領域ＴＲ側に近接している。
【００３４】
図４に示すように、アレイ基板２００に形成されたスペーサＳＰは、遮光層３４０に積層された緑色カラーフィルタ層３２０Ｇに対向するように配置されている。言い換えると、スペーサＳＰの直上には、緑色カラーフィルタ層３２０Ｇおよび遮光層３４０が位置している。このような遮光層３４０と緑色カラーフィルタ層３２０Ｇとの積層体は、スペーサＳＰを受ける台座となる。なお、図３および図４では、主要部のみを図示している。
【００３５】
ところで、ループ状のシール部材１１０に囲まれた領域に液晶材料を滴下し、アレイ基板２００と対向基板３００とを貼り合わせる液晶滴下工法（ＯＤＦ）では、セル内部の容積を事前に予測し、必要な量の液晶材料を充填することが求められる。
【００３６】
しかしながら、カラーフィルタ層３２０の加工の際に、２つの異なるカラーフィルタ層３２０、例えば、緑色カラーフィルタ層３２０Ｇおよび赤色カラーフィルタ層３２０Ｒの配置にばらつきが生じ、緑色カラーフィルタ層３２０Ｇと赤色カラーフィルタ層３２０Ｒとが遮光層３４０の上で重なることがある。スペーサＳＰが２つの異なるカラーフィルタ層３２０の境界に対向する設計の場合、アレイ基板２００と対向基板３００とを貼り合わせた際に、アレイ基板２００と対向基板３００との合わせずれによって、アレイ基板２００に形成されたスペーサＳＰが対向基板３００に形成された２つのカラーフィルタ層３２０が重なった部分に対向すると、一定の高さのスペーサＳＰを配置しても、設定したセルギャップよりも実際のセルギャップが厚くなってしまうことがある。また、境界を形成する少なくとも一方のカラーフィルタ層３２０の膜厚にばらつきが生じた場合にも、設定したセルギャップと実際のセルギャップとが相違してしまうことがある。したがって、液晶材料の充填量をアレイ基板２００に形成されたスペーサＳＰの高さに基づいてセルギャップを予測して決定する場合、実際のセル内部の容積と予測したセル内部の容積とが異なってしまうことがある。
【００３７】
滴下した液晶材料がセル内部の容積に対して少ない場合（充填不足）、真空気泡の発生が生じることがあり、滴下した液晶材料がセル内部の容積に対して多い場合（充填過多）、セルギャップが局所的に大きくなることがある。カラーフィルタ層３２０のばらつきによるセルギャップのばらつきが２％以上であると、充填過多、あるいは、充填不足となりうる。
【００３８】
特に、近年では、高色純度化への要望が高まっており、カラーフィルタ層３２０の膜厚を厚くする（例えば、約２．５μｍ〜３．０μｍ程度）傾向にある。カラーフィルタ層３２０の膜厚が厚くなるほど、膜厚のばらつきは大きくなる。例えば、２．５μｍ〜３．０μｍの膜厚のカラーフィルタ層３２０について、±５％の膜厚公差を想定すると、０．１２５μｍ〜０．１５μｍの膜厚ばらつきが発生しうる。
【００３９】
セルギャップは、例えば３〜４μｍに設定されており、透過率および色度の観点から、セルギャップのばらつきは±１０％未満で管理される。上述したカラーフィルタ層３２０の膜厚のばらつきがセルギャップのばらつきに寄与する場合、カラーフィルタ層３２０の膜厚のばらつきは、セルギャップに対して３〜５％のばらつきに相当するため、問題となる。また、高速応答化の手段の一つとして、セルギャップを薄くする（例えば、約２．５μｍ〜３．５μｍ程度）手法が検討されている。このようにセルギャップを薄くした構成においては、さらに、セルギャップのばらつきを低減することが求められる。
【００４０】
これに対して、第１実施形態においては、スペーサＳＰは、緑色カラーフィルタ層３２０Ｇと遮光層３４０とが重なる位置に対向する。特に、緑色カラーフィルタ層３２０Ｇと遮光層３４０とが重なる面積が大きいため、アレイ基板２００と対向基板３００との合わせずれが生じても、スペーサＳＰが緑色カラーフィルタ層３２０Ｇと赤色カラーフィルタ層３２０Ｒとの境界部分に対向してしまうことを抑制することができる。これにより、アレイ基板２００と対向基板３００との合わせずれに起因したセルギャップのばらつきを防ぐことができる。特に、緑色カラーフィルタ層３２０Ｇが配置された第２透過領域ＴＧにおいては、緑色カラーフィルタ層３２０Ｇの膜厚にばらつきが生じても、セルギャップの変動はほとんどない。したがって、実際のセル内部の容積と予測したセル内部の容積との差を低減することができ、液晶滴下工法を採用した場合に、セル内部の容積に対して容易に適量の液晶材料を滴下することが可能となる。
【００４１】
また、第１実施形態において、緑色カラーフィルタ層３２０Ｇが配置された部分のセルギャップが保たれるため、緑色波長の透過率のばらつきを小さくすることができる。なお、赤色カラーフィルタ層３２０Ｒが配置された赤色の画素ＰＸや青色カラーフィルタ層３２０Ｂが配置された青色の画素ＰＸについては、カラーフィルタ層３２０の膜厚のばらつきに起因したセルギャップのばらつきが生じ得るが、赤色波長および青色波長の視感度は、緑色波長の視感度より低いため、赤色カラーフィルタ層３２０Ｒおよび青色カラーフィルタ層３２０Ｂが配置された部分のセルギャップのばらつきが与える表示への影響は小さい。したがって、第１実施形態によれば、さらに、液晶表示装置の透過率のばらつきを小さくすることができる。
【００４２】
液晶表示装置が透過率の高い白色画面を表示するように設計するためには、緑色波長で最大透過率が得られるようにセルギャップを設定することが最適である。緑色波長で最大透過率が得られるようにセルギャップを設定した場合において、スペーサＳＰが緑色カラーフィルタ層３２０Ｇに配置されているため、緑色カラーフィルタ層３２０Ｇが配置された部分のセルギャップが保たれ、緑色波長の透過率の変動を抑制できる。なお、赤色波長および青色波長の透過率については、液晶層に印加する電圧により調整が可能であり、カラーシフトの少ない高透過率の白色画面を容易に表示することが可能となる。
【００４３】
また、緑色カラーフィルタ層３２０Ｇの膜厚を赤色カラーフィルタ層３２０Ｒの膜厚および青色カラーフィルタ層３２０Ｂの膜厚を厚く形成することによって、視感度が高い緑色波長の色純度が高くなり、色純度が高い液晶表示装置を得ることができる。しかしながら、上述した通り、緑色カラーフィルタ層３２０Ｇの膜厚を厚くするほど、緑色カラーフィルタ層３２０Ｇの膜厚のばらつきが大きくなる。第１実施形態においては、スペーサＳＰが緑色カラーフィルタ層３２０Ｇに対向しているため、緑色カラーフィルタ層３２０Ｇの膜厚のばらつきが大きくても、セルギャップのばらつきを低減することができる。したがって、第１実施形態によれば、色純度が高くなるように設計した場合においても、セルギャップのばらつきを低減することができる。また、高速応答化のためにセルギャップを薄く設計した場合においても、セルギャップのばらつきを低減することができる。
【００４４】
以上より、第１実施形態によれば、表示品位の良好な液晶表示装置を提供することができる。
【００４５】
なお、第１実施形態において、スペーサＳＰが第１透過領域ＴＲと第２透過領域ＴＧとの間に配置された遮光層３４０の上に積層された緑色カラーフィルタ層３２０Ｇと対向するように配置された例について説明したが、この例に限らず、スペーサＳＰは第２透過領域ＴＧと第３透過領域ＴＢとの間に配置された遮光層３４０の上に積層された緑色カラーフィルタ層３２０Ｇと対向するように配置されてもよい。
【００４６】
また、スペーサＳＰは遮光層３４０と対向するように配置されているが、遮光層３４０の膜厚はカラーフィルタ層３２０の膜厚と比べると薄い（例えば、１．０μｍ〜１．２μｍ程度）ため、遮光層３４０の膜厚のばらつきによるセルギャップへの影響は問題ない。
【００４７】
次に、第２実施形態に係る液晶表示装置について説明する。なお、第２実施形態において、上述の第１実施形態に係る液晶表示装置と同様の構成については、同一の符号を付して説明を省略する。
【００４８】
第２実施形態において、図５に示すように、遮光層３４０は、第１遮光部３４０Ａおよび第２遮光部３４０Ｂを有している。第１遮光部３４０Ａは、第２方向Ｖに沿って直線状に延出している。第１遮光部３４０Ａは、第１方向Ｈに略一定の第１幅ＨＡを有している。第１遮光部３４０Ａの中途には、第２遮光部３４０Ｂが配置されている。この第２遮光部３４０Ｂは、第１遮光部３４０Ａに繋がっている。第２遮光部３４０Ｂは、第１方向Ｈに第１幅ＨＡより広い第２幅ＨＢを有している。第２遮光部３４０Ｂは、第１遮光部３４０Ａより第１方向Ｈに突出した突出部３４０Ｃを有している。
【００４９】
図６に示すように、遮光層３４０は、第１透過領域ＴＲと第２透過領域ＴＧとの間に配置されている。この遮光層３４０について、第２遮光部３４０Ｂは、第１遮光部３４０Ａよりも第１方向Ｈに第２透過領域ＴＧ側に突出した突出部３４０Ｃを有している。緑色カラーフィルタ層３２０Ｇは、第２透過領域ＴＧに配置されるとともに第１遮光部３４０Ａの上および第２遮光部３４０Ｂの上に積層されている。特に、第２遮光部３４０Ｂの第２透過領域ＴＧ側に突出した突出部３４０Ｃについては、その全体に緑色カラーフィルタ層３２０Ｇが積層されている。赤色カラーフィルタ層３２０Ｒは、第１透過領域ＴＲに配置されるとともに、その一部が第１遮光部３４０Ａの上および第２遮光部３４０Ｂの上に積層されているが、突出部３４０Ｃの上には積層されていない。
【００５０】
図６に示した例では、赤色カラーフィルタ層３２０Ｒと緑色カラーフィルタ層３２０Ｇとの境界は、第２方向Ｖに沿って直線状に形成されている。緑色カラーフィルタ層３２０Ｇと遮光層３４０とが重なる面積は、赤色カラーフィルタ層３２０Ｒと遮光層３４０とが重なる面積より大きい。つまり、赤色カラーフィルタ層３２０Ｒと緑色カラーフィルタ層３２０Ｇとの境界は、第２透過領域ＴＧ側よりも第１透過領域ＴＲ側に近接している。
【００５１】
スペーサＳＰは、第２遮光部３４０Ｂに積層された緑色カラーフィルタ層３２０Ｇに対向するように配置されている。図６に示した例では、スペーサＳＰは、第２遮光部３４０Ｂのうち、主として第２透過領域ＴＧ側に突出した突出部３４０Ｃに対向するように配置されている。
【００５２】
図７に示すように、アレイ基板２００に形成されたスペーサＳＰは、遮光層３４０の第２遮光部３４０Ｂに積層された緑色カラーフィルタ層３２０Ｇに対向するように配置されている。なお、図６および図７では、主要部のみを図示している。
【００５３】
なお、図示しないが、第２透過領域ＴＧと第３透過領域ＴＢとの間に配置された遮光層３４０について、第２遮光部３４０Ｂは第２透過領域ＴＧ側に突出した突出部３４０Ｃを有していてもよい。この場合、図６および図７に示した赤色カラーフィルタ層３２０Ｒが配置された領域に青色カラーフィルタ層３２０Ｂが配置される。
【００５４】
このような構成の液晶表示装置においても、緑色カラーフィルタ層３２０Ｇと遮光層３４０とが重なる面積が大きいため、スペーサＳＰを緑色カラーフィルタ層３２０Ｇと対向するように配置することができ、第１実施形態と同様の効果が得られる。
【００５５】
なお、第２実施形態において、第１透過領域ＴＲと第２透過領域ＴＧとの間に配置された遮光層３４０について、第２遮光部３４０Ｂが第２透過領域ＴＧ側に突出する突出部３４０Ｃを有した例について説明したが、この例に限らない。図８に示した例では、第１透過領域ＴＲと第２透過領域ＴＧとの間に配置された遮光層３４０について、第２遮光部３４０Ｂは第１透過領域ＴＲ側に突出した突出部３４０Ｄおよび第２透過領域ＴＧ側に突出した突出部３４０Ｅを有している。緑色カラーフィルタ層３２０Ｇは、第２透過領域ＴＧに配置されるとともに第１遮光部３４０Ａの上および第２遮光部３４０Ｂの上に配置されている。特に、緑色カラーフィルタ層３２０Ｇは、第２遮光部３４０Ｂの突出部３４０Ｅの全体に積層され、しかも、第２遮光部３４０Ｂの上において突出部３４０Ｄの側に突出している。赤色カラーフィルタ層３２０Ｒは、第１透過領域ＴＲに配置されるとともに、その一部が第１遮光部３４０Ａの上および第２遮光部３４０Ｂの突出部３４０Ｅの上に積層されているが、突出部３４０Ｄの上には積層されていない。また、この赤色カラーフィルタ層３２０Ｒは、第２遮光部３４０Ｂの上において、緑色カラーフィルタ層３２０Ｇの突出部分に対応して切り欠いた形状を有しており、緑色カラーフィルタ層３２０Ｇと重ならないように配置されている。
【００５６】
図８に示した例では、赤色カラーフィルタ層３２０Ｒと緑色カラーフィルタ層３２０Ｇとの境界は、第２遮光部３４０Ｂの上において、第１透過領域ＴＲの側に突出している。このような例においても、緑色カラーフィルタ層３２０Ｇと遮光層３４０とが重なる面積は、赤色カラーフィルタ層３２０Ｒと遮光層３４０とが重なる面積より大きい。
【００５７】
スペーサＳＰは、第２遮光部３４０Ｂに積層された緑色カラーフィルタ層３２０Ｇに対向するように配置されている。
【００５８】
このような構成の液晶表示装置においても、第１実施形態と同様の効果が得られる。
【００５９】
また、図示しないが、第２透過領域ＴＧと第３透過領域ＴＢとの間に配置された遮光層３４０について、図８に示したような形状を適用できる。この場合、緑色カラーフィルタ層３２０Ｇは、第２透過領域ＴＧに配置されるとともに第１遮光部３４０Ａの上および第２遮光部３４０Ｂの上に配置されている。スペーサＳＰは、第２遮光部３４０Ｂに積層された緑色カラーフィルタ層３２０Ｇに対向するように配置されている。青色カラーフィルタ層３２０Ｂは、緑色カラーフィルタ層３２０Ｇの第２遮光部３４０Ｂの第３透過領域ＴＢ側に突出した領域に対向する部分を切り欠いた形状を有し、緑色カラーフィルタ層３２０Ｇと重ならないように配置されている。
【００６０】
次に、第２実施形態の変形例に係る液晶表示装置について説明する。なお、変形例において、上述の第１実施形態および第２実施形態に係る液晶表示装置と同様の構成については、同一の符号を付して説明を省略する。
【００６１】
変形例において、第１透過領域ＴＲ、第２透過領域ＴＧおよび第３透過領域ＴＢは、それぞれ同じ面積である。図９に示すように、第１透過領域ＴＲと第２透過領域ＴＧとの間に配置された遮光層３４０について、第２遮光部３４０Ｂは、第２透過領域ＴＧ側に突出した突出部ＰＧを有している。第２透過領域ＴＧと第３透過領域との間に配置された遮光層３４０について、第２遮光部３４０Ｂは、第３透過領域ＴＢ側に突出した突出部ＰＢを有している。第３透過領域ＴＲと第１透過領域ＴＲとの間に配置された遮光層３４０について、第２遮光部３４０Ｂは、第１透過領域ＴＲ側に突出した突出部ＰＲを有している。
【００６２】
緑色カラーフィルタ層３２０Ｇは、第２透過領域ＴＲに配置されるとともに第１遮光部３４０Ａの上および第２遮光部３４０Ｂの上に配置されている。緑色カラーフィルタ層３２０Ｇと第１透過領域ＴＲと第２透過領域ＴＧとの間に配置された遮光層３４０とが重なる面積が大きいは、赤色カラーフィルタ層３２０Ｒと第１透過領域ＴＲと第２透過領域ＴＧとの間に配置された遮光層３４０とが重なる面積より大きい。スペーサＳＰは、第２遮光部３４０Ｂに積層された緑色カラーフィルタ層３２０Ｇに対向するように配置されている。つまり、スペーサＳＰは、突出部ＲＧに対向するように配置されているが、突出部ＰＲおよび突出部ＰＢと対向していない。なお、図７では、主要部のみを図示している。
【００６３】
このような構成の液晶表示装置においても、緑色カラーフィルタ層３２０Ｇと遮光層３４０とが重なる面積が大きいため、第１実施形態と同様の効果が得られる。
【００６４】
さらに、変形例において、第１透過領域ＴＲ、第２透過領域ＴＧおよび第３透過領域ＴＢのそれぞれの面積が同じであるため、画素ＰＸの開口率が同じとなり、色ムラの発生を防止することができ、さらに表示品位の良好な液晶表示装置を提供することができる。
【００６５】
なお、この発明は、上記実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば実施形態に示される全構成要素から幾つかの構成要素を削除してもよい。更に、異なる実施形態に亘る構成要素を適宜組み合せてもよい。
【００６６】
本実施形態において、液晶モードの一例として、アレイ基板２００が画素電極２３０を備え、対向基板３００が画素電極２３０と対向する対向電極３３０を備え、縦電界（基板の主面にほぼ垂直な電界）を利用して液晶分子をスイッチングするモード、例えばＴＮ（Ｔｗｉｓｔｅｄ  Ｎｅｍａｔｉｃ）モードを例に説明したがこの例に限らない。一方の基板が画素電極２３０および画素電極２３０と電気的に絶縁され且つ画素電極２３０に対向する対向電極３３０を備え、横電界（基板の主面にほぼ平行な電界）を利用して液晶分子をスイッチングするモード、例えばＦＦＳ（Ｆｉｅｌｄ  Ｆｒｉｎｇｅ  Ｓｗｉｔｃｈｉｎｇ）モードについてもこの発明を適用可能である。
【符号の説明】
【００６７】
２００…アレイ基板  ＴＲ…第１透過領域  ＴＧ…第２透過領域  ＴＢ…第３透過領域  ３４０…遮光層  ３２０Ｒ…赤色カラーフィルタ層  ３２０Ｇ…緑色カラーフィルタ層３２０Ｇ  ３２０Ｂ…青色カラーフィルタ層  ３００…対向基板  ＳＰ…スペーサ  ４００…液晶層
【図１】
2011095475.tif 000003
【図２】
2011095475.tif 000004
【図３】
2011095475.tif 000005
【図４】
2011095475.tif 000006
【図５】
2011095475.tif 000007
【図６】
2011095475.tif 000008
【図７】
2011095475.tif 000009
【図８】
2011095475.tif 000010
【図９】
2011095475.tif 000011